(57)【要約】【課題】構造がシンプルで、低コストで製作でき、しかもデザインの自由度が高く、且つ、輪の大きさの調節が極めて容易で取扱性に優れた装身具用留具及びそれを備えた装身具を提供する【解決手段】連珠Ｎにおいて輪が形成される際、任意の珠玉Ｐ間の間隙で該間隙の直下に位置する珠玉Ｐ１と連珠Ｎの一側方から係合する上係合部１０と、上係合部１０よりも下方で且つ上係合部１０との水平距離Ｈが珠玉Ｐの最大径と等しいか又はそれより小さくしかも上係合部１０との直線距離Ｌが珠玉Ｐの最大径より大となる位置に配され、輪が形成される際、上記珠玉Ｐ１よりも下方に位置する珠玉Ｐ２と連珠Ｎの他側方から係合する下係合部２０と、連珠Ｎのいずれか一端ＰＴと連結される連結手段４０とを備えた装身具用留具。【選択図】  図１
2008284333.tif 000002
【特許請求の範囲】
【請求項１】
多数個の珠玉が連ねられるとともに両端がそれぞれ自由端とされた連珠から任意の大きさの輪を形成するのに使用される装身具用留具において、
前記輪が形成される際、任意の珠玉間の間隙で該間隙の直下に位置する珠玉と連珠の一側方から係合する上係合部と、
この上係合部よりも下方で且つ上係合部との水平距離が前記珠玉の最大径と等しいか又はそれより小さくしかも上係合部との直線距離が前記珠玉の最大径より大となる位置に配され、前記輪が形成される際、前記任意の珠玉よりも下方に位置する珠玉と前記連珠の他側方から係合する下係合部と、
前記連珠のいずれか一端と連結される連結手段と、
を備えた装身具用留具。
【請求項２】
多数個の珠玉が連ねられるとともに両端がそれぞれ自由端とされた連珠から任意の大きさの輪を形成するのに使用される装身具用留具において、
前記輪が形成される際、前記連珠の一端部側における任意の珠玉間の間隙で該間隙の直下に位置する珠玉と連珠の一端部側の一側方から係合する第１上係合部と、
この第１上係合部よりも下方で且つ第１上係合部との水平距離が前記珠玉の最大径と等しいか又はそれより小さくしかも第１上係合部との直線距離が前記珠玉の最大径より大となる位置に配され、前記輪が形成される際、前記連珠の一端部側における任意の珠玉よりも下方に位置する珠玉と前記連珠の一端部側の他側方から係合する第１下係合部と、
前記輪が形成される際、前記連珠の他端部側における任意の珠玉間の間隙で該間隙の直下に位置する珠玉と連珠の他端部側の他側方から係合する第２上係合部と、
この第２上係合部よりも下方で且つ第２上係合部との水平距離が前記珠玉の最大径と等しいか又はそれより小さくしかも第２上係合部との直線距離が前記珠玉の最大径より大となる位置に配され、前記輪が形成される際、前記連珠の他端部側における任意の珠玉よりも下方に位置する珠玉と前記連珠の他端部側の一側方から係合する第２下係合部と、
を備えた装身具用留具。
【請求項３】
請求項１に記載の装身具用留具において、
留具それ自体が連珠挿通孔を有する塊状に形成されるとともに、前記連珠挿通孔の上端開口縁の一部が前記上係合部とされる一方、連珠挿通孔の下端開口縁の一部が前記下係合部とされた装身具用留具。
【請求項４】
請求項２に記載の装身具用留具において、
留具それ自体が第１連珠挿通孔と第２連珠挿通孔を有する塊状に形成されるとともに、前記第１連珠挿通孔の上端開口縁の一部が前記第１上係合部とされる一方、第１連珠挿通孔の下端開口縁の一部が前記第１下係合部とされ、また前記第２連珠挿通孔の上端開口縁の一部が前記第２上係合部とされる一方、第２連珠挿通孔の下端開口縁の一部が前記第２下係合部とされた装身具用留具。
【請求項５】
請求項１に記載の装身具用留具において、
前記上係合部が前記下係合部周りに回動可能とされた装身具用留具。
【請求項６】
請求項２に記載の装身具用留具において、
前記第１上係合部及び第２上係合部の両方又はそのいずれか一方が、それぞれに対応する下係合部周りに回動可能とされた装身具用留具。
【請求項７】
請求項１、３又は５に記載の装身具用留具において、
前記上係合部には、その内側に該上係合部に対する前記珠玉の位置ズレを防止する珠玉位置ズレ防止手段が設けられた装身具用留具。
【請求項８】
請求項２、４又は６に記載の装身具用留具において、
前記第１上係合部及び第２上係合部には、それぞれ、その内側に該各上係合部に対する前記珠玉の位置ズレを防止する珠玉位置ズレ防止手段が設けられた装身具用留具。
【請求項９】
多数個の珠玉が連ねられるとともに両端が自由端とされた連珠の一端に請求項１、３、５又は７に記載の装身具用留具が連結されてなる装身具。
【請求項１０】
多数個の珠玉が連ねられるとともに両端が自由端とされた連珠と、請求項２、４、６又は８に記載の装身具用留具とを備えた装身具。
【発明の詳細な説明】
【技術分野】
【０００１】
本発明は、例えば、真珠、珊瑚、翡翠、ダイヤモンド、エメラルド等の珠玉を多数個連ねたネックレスやブレスレットといった装身具のうち、装着時にその輪の大きさを自由に調節できるようにした装身具に使用される装身具用留具、及びその装身具用留具を備えた装身具に関する。
【背景技術】
【０００２】
例えば真珠のネックレスには、チョーカー、プリンセス、マチネーといった名称で呼ばれるものがあり、チョーカーでは３５cm、プリンセスでは４０〜４５cm、マチネーでは５３cmといったように、それぞれに長さが決まっている。そして装着時にあっては、長さが最短のチョーカーが最も首もとに沿うこととなり、あとプリンセス、マチネの順に首からの垂れ下がり度合いが大きくなることから、使用者は衣装や自分の体格に相応しい長さのネックレスを選択することになる。しかし、真珠のネックレスは高価であるため、上記したすべての種類のネックレスを揃えることは経済的な負担が大きく、したがって一般の使用者にとっては現実的ではない。また、首回りの大きさには個人差があるため、チョーカーのような短寸のネックレスの場合は、珠を抜いたり或いは追加したりすることで輪の大きさを調整するか、もしくは１クラス上の長さのネックレスを購入する必要がある。しかし、これもまた一般の使用者にとっては経済的な負担が大きい。
【０００３】
上記したような問題を解消するには、ネックレスの輪の大きさを使用者が自由に調節できるようにすることが考えられるが、一般に、ネックレスは両端にクラスプと呼ばれる留め金具が設けられており、これら留め金具同士を係止することで首周りに装着されるように構成されているため、輪の大きさの調節はできない。
【０００４】
そこで、従来、輪の大きさを自由に調節できるネックレスが種々提案されている。例えば、ネックレスの一端にネックレスの球体を挟むことのできる止め具を設け、この止め具でネックレスの他端部における任意の球体を挟み、これによって輪の大きさを自由に調節できるようにしたネックレスが提案されている（例えば、特許文献１〜３参照）。また、多数個の球体を綴っている糸を掴むことのできる止め具をネックレスの一端に設け、この止め具でネックレスの他端部の任意の位置で糸を掴み、これによって輪の大きさを自由に調節できるようにしたネックレスが提案されている（例えば、特許文献４及び５参照）。さらに、上記した２種類の方式を両方備えたネックレスが提案されている（例えば、特許文献６参照）。またさらに、連珠の一端にフックを設け、このフックを連珠の他端側における任意の珠玉間に引っ掛けることで輪の大きさを調節することができるようにしたネックレスも提案されている（例えば、特許文献７〜９参照）。
【特許文献１】特開昭６０−２０７６０６号公報
【特許文献２】特開昭６０−２０７６０７号公報
【特許文献３】実公昭４８−４１６００号公報
【特許文献４】実用新案登録第３０４１０２０号公報
【特許文献５】実用新案登録第３０６００３５号公報
【特許文献６】実開昭５２−１２４８９４号公報
【特許文献７】特開２０００−２７０９１３号公報
【特許文献８】特開２００４−２３６９４１号公報
【特許文献９】特開２００６−１５０１０１号公報
【発明の開示】
【発明が解決しようとする課題】
【０００５】
ところで、最近のネックレスに使用される留具は、デザインの多様化に伴い構造が複雑になりがちであるとともに部品点数が増えてきており、その分製作コストが嵩む傾向にある。また、特にネックレスにあっては、その長さの調節が、見辛い首もとで行われることから、留具の構造が複雑になると、取扱性が損なわれてしまう。このような点から、輪の大きさが調節できる装身具に使用される留具としても、構造がシンプルで、低コストで製作でき、しかも取扱が極めて容易なものが要望される。しかしながら、前記したいずれの従来例も、構造が複雑であったり、或いは構造上デザインに制約が課せられたり、また輪の大きさを調節する際の取扱が煩雑であったりして、上記要望に十分応え得るものではなかった。
【０００６】
本発明は上記従来の問題点を解決すべく創案されたものであり、構造がシンプルで、低コストで製作でき、しかもデザインの自由度が高く、且つ、輪の大きさの調節が極めて容易で取扱性に優れた装身具用留具及びそれを備えた装身具を提供することを目的としている。
【課題を解決するための手段】
【０００７】
上記課題を解決するため、請求項１の発明に係る装身具用留具は、多数個の珠玉が連ねられるとともに両端がそれぞれ自由端とされた連珠から任意の大きさの輪を形成するのに使用される装身具用留具において、前記輪が形成される際、任意の珠玉間の間隙で該間隙の直下に位置する珠玉と連珠の一側方から係合する上係合部と、この上係合部よりも下方で且つ上係合部との水平距離が前記珠玉の最大径と等しいか又はそれより小さくしかも上係合部との直線距離が前記珠玉の最大径より大となる位置に配され、前記輪が形成される際、前記任意の珠玉よりも下方に位置する珠玉と前記連珠の他側方から係合する下係合部と、前記連珠のいずれか一端と連結される連結手段と、を備えたことを特徴とするものである。
【０００８】
このようになる装身具用留具にあっては、上係合部と下係合部との水平距離が珠玉の最大径と等しいか又はそれより小さくしかも上係合部との直線距離が珠玉の最大径より大とされているので、留具それ自体を傾動させて上係合部と下係合部との水平距離が珠玉の最大径よりも僅かに大きくなるようにするとともに、この装身具用留具が連結されていない側の連珠の端部を垂直に垂らした状態で上係合部と下係合部との間に上方から挿入すると、連珠の珠玉が上係合部及び下係合部のいずれにも引っ掛かることなく上下両係合部間を通過する。このように、上係合部と下係合部との水平距離が珠玉の最大径よりも僅かに大きくなるように留具それ自体を傾動させるとともに連珠の端部を垂直に垂らした状態を保つことにより上下両係合部間で連珠を上下させることができるようになるため、連珠から装身具用留具を完全に取り外さなくとも留具それ自体を上記のように傾動させるだけで装身具の輪の大きさの調節が可能となる。また、連珠の端部が上下両係合部間に位置している状態で連珠の輪を広げると、上係合部が、その時点で対応する珠玉間の間隙の直下に位置する珠玉と連珠の一側方から係合するとともに、下係合部が、上係合部と係合した珠玉よりも下方に位置する珠玉と連珠の他側方から係合し、これによって輪の大きさが固定する。以後、輪が広げられているとき、すなわち首まわりに装着されているときは、上下両係合部が、それぞれと対応する珠玉と係合し続けるので、連珠の端部が装身具用留具から抜け外れることはない。そして、輪の大きさを再度調節するときは、留具それ自体を上述したように傾動させるとともに、装身具用留具の上方位置で連珠の端部を摘み、該端部を垂直に垂れた状態にする。これにより上下両係合部と珠玉との係合が解除されるので、連珠から装身具用留具を完全に取り外さずに、上記した如く単に該端部を上下両係合部間で上下させ、上下両係合部とそれぞれ係合させる珠玉を選択し直すだけで輪の大きさの再調節を行うことができる。
【０００９】
請求項２の発明に係る装身具用留具は、上記した請求項１の発明に係るものと基本的原理は同じであり、上係合部と下係合部をさらにもう一組有する点で異なるものである。但し、連珠のいずれか一端と連結される前記連結手段は、ここでは不要となるため、これを含まない構成となっている。すなわち、輪が形成される際、前記連珠の一端部側における任意の珠玉間の間隙で該間隙の直下に位置する珠玉と連珠の一端部側の一側方から係合する第１上係合部と、この第１上係合部よりも下方で且つ第１上係合部との水平距離が前記珠玉の最大径と等しいか又はそれより小さくしかも第１上係合部との直線距離が前記珠玉の最大径より大となる位置に配され、前記輪が形成される際、前記連珠の一端部側における任意の珠玉よりも下方に位置する珠玉と前記連珠の一端部側の他側方から係合する第１下係合部と、前記輪が形成される際、前記連珠の他端部側における任意の珠玉間の間隙で該間隙の直下に位置する珠玉と連珠の他端部側の他側方から係合する第２上係合部と、この第２上係合部よりも下方で且つ第２上係合部との水平距離が前記珠玉の最大径と等しいか又はそれより小さくしかも第２上係合部との直線距離が前記珠玉の最大径より大となる位置に配され、前記輪が形成される際、前記連珠の他端部側における任意の珠玉よりも下方に位置する珠玉と前記連珠の他端部側の一側方から係合する第２下係合部と、を備えたことを特徴とするものである。
【００１０】
この装身具用留具においても、請求項１の発明に係るものと同様の要領で連珠の輪の大きさを調節することができる。
【００１１】
請求項３の発明に係る装身具用留具は、請求項１の発明に係る装身具用留具において、留具それ自体が連珠挿通孔を有する塊状に形成されるとともに、前記連珠挿通孔の上端開口縁の一部が前記上係合部とされる一方、連珠挿通孔の下端開口縁の一部が前記下係合部とされたことを特徴とするものである。
【００１２】
また、請求項４の発明に係る装身具用留具は、請求項２の発明に係る装身具用留具において、留具それ自体が第１連珠挿通孔と第２連珠挿通孔を有する塊状に形成されるとともに、前記第１連珠挿通孔の上端開口縁の一部が前記第１上係合部とされる一方、第１連珠挿通孔の下端開口縁の一部が前記第１下係合部とされ、また前記第２連珠挿通孔の上端開口縁の一部が前記第２上係合部とされる一方、第２連珠挿通孔の下端開口縁の一部が前記第２下係合部とされたことを特徴とするものである。
【００１３】
このように留具それ自体が塊状とされていることにより、留具全体のデザインの自由度を高めることができる。
【００１４】
請求項５の発明に係る装身具用留具は、請求項１の発明に係る装身具用留具において、前記上係合部が前記下係合部周りに回動可能とされたことを特徴とするものであり、また請求項６の発明に係る装身具用留具は、請求項２の発明に係る装身具用留具において、前記第１上係合部及び第２上係合部の両方又はそのいずれか一方が、それぞれに対応する下係合部周りに回動可能とされたことを特徴とするものである。
【００１５】
このように上係合部を下係合部周りに回動可能とすることにより、輪の大きさの調節を行う際、上述した場合とは異なり、上係合部と下係合部とが同一水平面上に位置するよう留具それ自体を傾動させる必要がなく、取扱性が向上する。
【００１６】
ここで、上記のいずれの装身具用留具においても、上係合部、第１上係合部、及び第２上係合部の内側に、それぞれ、該上係合部に対する珠玉の位置ズレを防止する珠玉位置ズレ防止手段が設けられていてもよい。この場合、装身具の装着中に、上係合部、第１上係合部、及び第２上係合部と珠玉との係合が不測に外れたりするのが防止される。
【００１７】
請求項９の発明に係る装身具は、多数個の珠玉が連ねられるとともに両端が自由端とされた連珠の一端に請求項１、３、５又は７に記載の装身具用留具が連結されたものである。
【００１８】
また、請求項１０の発明に係る装身具は、多数個の珠玉が連ねられるとともに両端が自由端とされた連珠と、請求項２、４、６又は８に記載の装身具用留具とを備えたものである。
【００１９】
ここで、請求項９の発明に係る装身具においては、連珠の他端部側であって、装身具用留具と係合される領域に存する珠玉の間隙が、他の領域に存する珠玉の間隙よりも大きく設定されていてもよい。また、請求項１０の発明に係る装身具においては、連珠の両端部であって、前記装身具用留具と係合される領域に存する珠玉の間隙が、他の領域に存する珠玉の間隙よりも大きく設定されていてもよい。
【００２０】
この場合、珠玉同士の擦れ合いによる傷の発生を減少させることができる。すなわち、装身具用留具の上係合部と珠玉とが係合した際、連珠は上係合部で湾曲されることになり、その湾曲部分に位置する珠玉同士が擦れ合うようになるが、上記したようにこの領域における珠玉同士の間隙が他の領域におけるそれよりも大きくされていれば、湾曲部分に位置する珠玉同士が擦れ合いにくくなる。特に、珠玉が、他の宝玉に比べて傷つき易い真珠である場合は有効となる。また、広い間隙が存在することにより、装身具用留具においてネックレスが曲がり易くなるので、装身具用留具との係脱が容易となり取り扱い易くなる。
【発明の効果】
【００２１】
本発明によれば、構造がシンプルで、低コストで製作でき、しかもデザインの自由度が高く、且つ、輪の大きさの調節が極めて容易で取扱性に優れた装身具用留具及びそれを備えた装身具を提供することができる。
【発明を実施するための最良の形態】
【００２２】
以下、本発明の実施の形態について、真珠のネックレスに本発明を適用した場合を例にとって、図面を参照して説明する。
【００２３】
＜実施の形態１＞
図１は装身具用留具の使用状態を示す斜視図、図２は装身具用留具の斜視図、図３（Ａ）は装身具用留具の平面図、同図（Ｂ）は同正面図、同図（Ｃ）は同左側面図、図４は装身具用留具の使用状態を示す部分破断斜視図である。
【００２４】
この装身具用留具１は、多数個の真珠Ｐが連ねられるとともに両端がそれぞれ自由端とされたネックレスＮにおいて任意の大きさの輪を形成するのに使用されるものであり、上係合部１０、下係合部２０、規制部３０、及び連結部４０から主要部が構成されている。材質としては、例えば、金、銀、プラチナといった貴金属、又はその他の金属、或いは合成樹脂を採用することができる。
【００２５】
以下、各部について詳述する。
【００２６】
上係合部１０は、ネックレスＮにおいて輪が形成される際、任意の真珠Ｐ間の間隙で該間隙の直下に位置する真珠Ｐ１とネックレスＮの一側方（図１において左方）から係合するものであり、図示例のものでは、円弧状に形成されている。
【００２７】
下係合部２０は、輪が形成される際、前記真珠Ｐ１よりも下方に位置する真珠Ｐ２とネックレスＮの他側方（図１において右方）から係合するものである。この下係合部２０は、上記した上係合部１０よりも下方で且つ上係合部１０との水平距離Ｈ（図３（Ａ）参照）が真珠Ｐの最大径よりも僅かに小さくしかも上係合部１０との直線距離Ｌ（図３（Ｂ）参照）が真珠Ｐの最大径より大となる位置に配されている。図示例のものでは、中央部２５が連結部４０側へ僅かに膨出するように屈曲されている。このような形状とされた場合、下係合部２０と真珠Ｐとの係合状態が安定したものとなる。また、上記水平距離Ｈは真珠Ｐの最大径と等しくてもよい。
【００２８】
ここで、上係合部１０と下係合部２０との垂直距離Ｖ（図３（Ｃ）参照）は、図示例では、真珠Ｐの最大径より僅かに小さい寸法とされ、上係合部１０と係合する真珠Ｐ１に隣接する真珠Ｐ２に下係合部２０が係合するように設定されているが、これに限らず、上係合部１０と係合する真珠Ｐ１とは１個又は２個隔てた真珠Ｐ３，Ｐ４に下係合部２０が係合するような距離に設定されていてもよい。尚、その場合も、上係合部１０と下係合部２０との水平距離Ｈは真珠Ｐの最大径と等しいか又はそれより小さく設定される。
【００２９】
規制部３０は、ネックレスＮが上係合部１０と下係合部２０の間から、図３（Ａ）において上下方向に外れるのを規制するためのものであり、上係合部１０と滑らかに連なるように形成されている。
【００３０】
連結部４０は、請求項１における連結手段に相当するもので、外側掛止部４１と内側掛止部４２と下側掛止部４３の３要素から構成されている。外側掛止部４１は上記した上係合部１０と、また下側掛止部４３は上記した下係合部２０と、それぞれ対称的に形成されており、内側掛止部４２は上係合部１０側に膨出するアーチ形状に形成されている。そして、図１及び図４に示すように、これら外側掛止部４１、内側掛止部４２及び下側掛止部４３の３要素に、ネックレスＮの端部に位置する真珠ＰＴが挟持されることにより、ネックレスＮの端部に装身具用留具１が連結される。
【００３１】
以上説明した上係合部１０、下係合部２０、規制部３０、及び連結部４０は、デザインを考慮しつつ一体的に形成されている。
【００３２】
このようになる装身具用留具１にあっては、上係合部１０と下係合部２０との水平距離Ｈが真珠Ｐの最大径よりも小とされしかも上下両係合部１０，２０の直線距離Ｌが真珠Ｐの最大径より大とされているので、留具１それ自体を傾動させて上係合部１０と下係合部２０との水平距離Ｈが真珠Ｐの最大径よりも僅かに大きくなるようにするとともに、この装身具用留具１が連結されていない側のネックレスＮの端部を垂直に垂らした状態で上係合部１０と下係合部２０との間に上方から挿入すると、真珠が上係合部１０及び下係合部２０のいずれにも引っ掛かることなく上下両係合部１０，２０間を通過する。このように、上係合部１０と下係合部２０との水平距離Ｈが真珠Ｐの最大径よりも僅かに大となるように留具１１それ自体を傾動させるとともにネックレスＮの端部を垂直に垂らした状態を保つことにより上下両係合部１０，２０間でネックレスＮの端部を上下させることができるようになるため、ネックレスＮから装身具用留具１を完全に取り外さなくとも留具１それ自体を上記のように傾動させるだけでネックレスＮの輪の大きさの調節が可能となる。
【００３３】
また、ネックレスＮの端部が上下両係合部１０，２０間に位置している状態でネックレスＮの輪を広げると、上係合部１０が、その時点で対応する真珠間の間隙の直下に位置する真珠Ｐ１とネックレスＮの一側方から係合するとともに、下係合部２０が、上係合部１０と係合した真珠Ｐ１よりも下方に位置（図示例では直下に位置）する真珠Ｐ２とネックレスＮの他側方から係合し、これによって輪の大きさが固定する。以後、輪が広げられているとき、すなわち首まわりに装着されているときは、上下両係合部１０，２０が、それぞれと対応する真珠Ｐ１，Ｐ２と係合し続けるので、ネックレスＮの端部が装身具用留具１から抜け外れることはない。そして、輪の大きさを再度調節するときは、留具１それ自体を上述したように傾動させるとともに、装身具用留具１の上方位置でネックレスＮの端部を摘み、該端部を垂直に垂れた状態にする。これにより上下両係合部１０，２０と真珠Ｐ１，Ｐ２との係合が解除されるので、上記したように該端部を上下両係合部１０，２０間で上下させ、上下両係合部１０，２０とそれぞれ係合させる真珠を選択し直す。尚、図１において符号Ｄは、脱落防止用先端パーツを示す。
【００３４】
ところで、上係合部１０及び下係合部２０の形態は、図１〜図４に示した例に限らず、図５（Ａ）〜同図（Ｄ）に示すような形態であってもよい。
【００３５】
図５（Ａ）に示す例では、上係合部１０及び下係合部２０を相互に逆向きとなる円弧状とし、且つ相互に平行となるように配している。
【００３６】
図５（Ｂ）に示す例では、上係合部１０及び下係合部２０を相互に逆向きとなる円弧状とし、且つ相互に斜めに連なるように配している。
【００３７】
図５（Ｃ）に示す例では、上係合部１０及び下係合部２０を連続する環で構成している。
【００３８】
図５（Ｄ）に示す例では、上係合部１０及び下係合部２０を相互に平行な直線状のバーで構成し、上下に段違いとなるように配している。
【００３９】
図６は、図１〜図４に示した例の変形例を示す斜視図である。ここでは、上係合部１０の内側に該上係合部１０に対する真珠Ｐ１の位置ズレを防止する珠位置ズレ防止手段としての一対の鍔部５０，５０が設けられている。このような鍔部５０，５０を上係合部１０の内側に設けた場合、ネックレスＮを首まわりに装着している間、上係合部１０と真珠Ｐ１との係合が不測に外れたりするのが防止される。尚、珠位置ズレ防止手段はこのような一対の鍔部５０，５０に限るものではなく、図示はしないが、一対のピン状の突起であってもよい。珠位置ズレ防止手段の形態は任意であるが、装身具用留具１の全体のデザインを損ねることがないような形状を採用することが望ましい。
【００４０】
図７は、請求項１の発明に係る装身具用留具の他の実施形態を示す斜視図である。この例では、上記した実施形態のものよりさらにデザイン性を高めたものとしており、正面から見て２枚の葉を連ねたようなデザインとしている。ここでは、連結手段は、ネックレスＮの端部に位置する真珠ＰＴに連結されたリング４４と係合する止め環４５で構成されている。尚、図１〜図４に示した実施形態のものと同一構成要素には同一符号を付し、その説明は省略する。
【００４１】
図８は、図７に示した例の変形例を示す斜視図である。ここでは、上係合部１０の内側に該上係合部１０に対する真珠Ｐの位置ズレを防止する珠位置ズレ防止手段としての一対の鍔部５０，５０が設けられている。
【００４２】
尚、図７及び図８に示す実施形態にあっては、端部の真珠ＰＴに対して装身具用留具１が連結手段周りに回動しないよう、装身具用留具１自体が端部の真珠ＰＴに固定されるのが好ましい。装身具用留具１が連結手段周りに回動すると、上係合部１０及び下係合部２０と真珠Ｐ１，Ｐ２との係合が解除され易くなるためである。また、固定に際しては、装身具用留具１のネックレスＮへの取付角度を、輪が形成された際に上係合部１０及び下係合部２０と真珠Ｐ１，Ｐ２との係合が維持されるような角度（図７に示すような形態を維持しうる角度）とすることが望ましい。
【００４３】
以上説明した実施の形態にあっては、装身具用留具１全体を線材を適宜屈曲したり接合したりすることで構成しているが、本発明に係る装身具用留具１はそれに限らず、例えば図９〜図１１に示すように、装身具用留具１それ自体が塊状のものであってもよい。
【００４４】
すなわち、装身具用留具１は、連珠挿通孔６０を有する中空の塊状に形成されるとともに、連珠挿通孔６０の上端開口縁６１の一部が上係合部１０とされる一方、連珠挿通孔６０の下端開口縁６２の一部が下係合部２０とされたものである。また、上係合部１０には珠位置ズレ防止手段としての一対の鍔部５０，５０が設けられている。このようになる装身具用留具１の使用状態を図１１に示す。この例でも、輪の形成の仕方及び輪の大きさの調節方法は、前記した実施形態の場合と同様である。
【００４５】
尚、装身具用留具１全体を塊状とする場合は、上記の例に限るものではなく、全体が円柱状であっても、角柱状であってもよい。
【００４６】
＜実施の形態２＞
次に、本発明に係る装身具用留具の実施の形態２について、図１２〜図１４を参照して説明する。
【００４７】
この装身具用留具１は、上記した実施の形態１に係るものと基本的原理は同じであり、上係合部と下係合部をさらにもう一組有する点で異なるだけである。以下、詳述する。
【００４８】
装身具用留具１は、輪が形成される際、ネックレスＮの一端部側における任意の真珠間の間隙で該間隙の直下に位置する真珠Ｐ１０とネックレスＮの一端部側の一側方から係合する第１上係合部１１と、この第１上係合部１１よりも下方で且つ第１上係合部１１との水平距離（図３（Ａ）のＨに相当）が真珠Ｐの最大径と等しいか又はそれより小さくしかも第１上係合部１１との直線距離（図３（Ｂ）のＬに相当）が真珠Ｐの最大径より大となる位に配され、輪が形成される際、ネックレスＮの一端部側における上記真珠Ｐ１０よりも下方に位置する真珠Ｐ２０とネックレスＮの一端部側の他側方から係合する第１下係合部２１と、輪が形成される際、ネックレスＮの他端部側における任意の真珠間の間隙で該間隙の直下に位置する真珠Ｐ１１とネックレスＮの他端部側の他側方から係合する第２上係合部１２と、この第２上係合部１２よりも下方で且つ第２上係合部１２との水平距離が真珠Ｐの最大径と等しいか又はそれより小さくしかも第２上係合部１２との直線距離が真珠Ｐの最大径より大となる位置に配され、輪が形成される際、ネックレスＮの他端部側における上記真珠Ｐ１１よりも下方に位置する真珠Ｐ１２とネックレスＮの他端部側の一側方から係合する第２下係合部２２と、を備えたものである。
【００４９】
また、第１上係合部１１の内側と第２上係合部１２の内側には、それぞれ珠位置ズレ防止手段としての一対の鍔部５１，５１，５２，５２が設けられている。
【００５０】
この装身具用留具１においても、上記した実施の形態１に係るものと同様の要領でネックレスＮの輪の大きさを調節することができる。尚、装身具用留具１から下方に垂れ下がるネックレスＮの連が２本となるので、これら２本の長さを揃えたり、また図１４に示すように違えたりすることができ、実施の形態１に係るものより、装着態様のバリエーションが増えるため、より一層楽しむことができる。
【００５１】
このような上係合部と下係合部を２組有する装身具用留具１は、上記した例に限るものではなく、図示はしないが、図９〜図１１で示したような塊状のものとしてもよい。その場合、連珠挿通孔は２つ並設されることとなる。
【００５２】
また、装身具用留具１は、図１５に示すように、第１上係合部１１が第１下係合部２１周りに回動可能とされるとともに、第２上係合部１２が第２下係合部２２周りに回動可能とされた構成でもよい。この場合、輪の形成時や輪の大きさの調節時に装身具用留具１を傾動させる必要がなく、単に第１上係合部１１と第２上係合部１２の両方又はいずれか一方を、図中矢符で示すように回動させればよい。この例でも、第１上係合部１１と第１下係合部２１との関係、及び、第２上係合部１２と第２下係合部２２との関係は、実施の形態１で説明したのと同様であり、図１５に、図３で示した符号と同一符号（Ｈ及びＬ）で示す。
【００５３】
尚、このような上係合部を下係合部周りに回動可能とする構成は、実施の形態１で示したような、上係合部と下係合部が１組の場合にも適用することができる。
【００５４】
＜実施例＞
次に、請求項１の発明に係る装身具用留具の実施例について、図１６〜図１９を参照して説明する。
【００５５】
上係合部１０及び下係合部２０を相互に逆向きの円弧状とし、且つ相互に平行となるように配した。また、規制部３０のスパンＡを少なくとも真珠Ｐの直径φの１．０５倍に設定するとともに、上係合部１０と下係合部２０の直線距離Ｌを真珠Ｐの直径φの１．０５倍から１．１５倍の範囲で設定し、下係合部２０から上係合部１０に対する仰角の範囲Ｃを２５°〜４５°としたところ、上係合部１０及び下係合部２０と真珠Ｐ１，Ｐ２との係合安定性が高いものとなった。
【００５６】
図１８に示すように、首の後側で装身具用留具１によりネックレスＮを留める場合は、上記仰角は２５°程度が好適であった。また、図１９に示すように、首の前側で装身具用留具１によりネックレスＮを留める場合は、上記仰角は４５°程度が好適であった。
【００５７】
このように、留める位置が首の後側と前側とで上記仰角の最適角度が異なることになるが、上記したような範囲（２５°〜４５°）となるように装身具用留具１のデザインを考慮すればよいことが判った。
【００５８】
以上、本発明に係る装身具用留具の実施の形態及び実施例について説明したが、本発明に係る装身具は、上記した装身具用留具と、多数個の真珠が連ねられるとともに両端が自由端とされたネックレスＮとを備えたものである。その実施の形態は、装身具用留具１について説明した実施の形態と重複するので、説明を省略し、ここではその変形例について説明する。
【００５９】
図２０は、本発明に係る装身具の部分正面図であり、装身具用留具１と係合される領域Ｚ１を示している。
【００６０】
この領域Ｚ１では、真珠Ｐの間隙αが、他の領域Ｚ２における真珠Ｐの間隙βよりも大きく設定されている。具体的には、当該領域Ｚ１において各真珠Ｐ間で、真珠Ｐを連通している糸にオールナッツと呼ばれる結び目をそれぞれ形成することにより、各真珠Ｐ間の間隙αを、他の領域Ｚ２のそれよりも大きくしている。ここで、上記領域Ｚ１は、真珠Ｐの数にして１０個前後が好適である。尚、結び目を形成する代わりに、各真珠Ｐ間に、例えば微細なリング（例えば、シリコンリング）を介在させてもよい。
【００６１】
このようにすることで、真珠Ｐ同士の擦れ合いによる傷の発生を減少させることができる。すなわち、装身具用留具１の上係合部１０と真珠Ｐとが係合した際、ネックレスＮは上係合部１０で湾曲されることになり、その湾曲部分に位置する真珠Ｐ同士が擦れ合うようになるが、上記したようにこの領域Ｚ１における真珠Ｐ同士の間隙αが他の領域Ｚ２におけるそれよりも大きくされていれば、湾曲部分に位置する真珠Ｐ同士が擦れ合いにくくなる。また、広い間隙αが存在することにより、装身具用留具１においてネックレスＮが曲がり易くなるので、装身具用留具１との係脱が容易となり取り扱い易くなる。尚、上記の例では装身具用留具１と係合される領域Ｚ１を真珠Ｐの数にして１０個前後としているが、これに限定されず、これより少なくてもまた多くてもよく、さらにネックレスＮの全長に亘って真珠Ｐ同士の間にオールナッツや微細なシリコンリングを介装し、すべての真珠Ｐの間隙を上記したような間隙αとしてもよい。
【００６２】
ところで、上記ネックレスＮにおいて真珠Ｐ同士を連繋する連繋策Ｗとしては、例えば絹糸、綿糸、ポリエステルやナイロン等の合成繊維糸、テグス、超弾性形状記憶合金が使用できる。
【００６３】
尚、上記の実施形態では本発明を真珠のネックレスに適用した例について説明したが、本発明はこれに限るものではなく、例えば、珊瑚、翡翠、水晶、めのう、ダイヤモンド、エメラルド、硝子玉、樹脂玉等の宝玉やその模造品を多数個連ねたネックレスにも適用できるし、またネックレスに限らずブレスレットにも適用できるものである。
【図面の簡単な説明】
【００６４】
【図１】本発明に係る装身具用留具の一実施形態における使用状態を示す斜視図である。
【図２】図１に示す装身具用留具の斜視図である。
【図３】図３（Ａ）は図１に示す装身具用留具の平面図、同図（Ｂ）は同正面図、同図（Ｃ）は同左側面図である。
【図４】図１に示す装身具用留具の使用状態を示す部分破断斜視図である。
【図５】装身具用留具における上係合部と下係合部の複数の変形例を示す平面図及び正面図である。
【図６】図１〜図４に示した例の変形例を示す斜視図である。
【図７】さらに他の変形例を示す斜視図である。
【図８】図７に示した例の変形例を示す斜視図である。
【図９】本発明に係る装身具用留具の他の実施形態を示す斜視図である。
【図１０】図９に示す装身具用留具の横断面図である。
【図１１】図９に示す装身具用留具の使用状態を示す斜視図である。
【図１２】本発明に係る装身具用留具のさらに他の実施形態における使用状態を示す部分斜視図である。
【図１３】図１２に示す装身具用留具の斜視図である。
【図１４】図１２に示す装身具用留具の使用状態を示す全体斜視図である。
【図１５】図１２に示す装身具用留具の変形例を示す模式図である。
【図１６】請求項１の発明に係る装身具用留具の実施例を説明する模式図である。
【図１７】請求項１の発明に係る装身具用留具の実施例を説明する模式図である。
【図１８】図１に示す装身具用留具の装着例を示す斜視図である。
【図１９】図１に示す装身具用留具の他の装着例を示す斜視図である。
【図２０】本発明に係る装身具の一実施形態を示す部分正面図である。
【符号の説明】
【００６５】
１      装身具用留具
１０    上係合部
１１    第１上係合部
１２    第２上係合部
２０    下係合部
２１    第１下係合部
２２    第２下係合部
４０    連結部（連結手段）
４１  外側掛止部
４２  内側掛止部
４３  下側掛止部
４４  リング
４５  止め環
５０    鍔部（珠位置ズレ防止手段）
６０    連珠挿通孔
Ｐ      真珠
Ｎ      ネックレス
Ｈ      水平距離
Ｌ      直線距離
Ｚ１    装身具用留具と係合される領域
Ｚ２    他の領域
【図１】
2008284333.tif 000003
【図２】
2008284333.tif 000004
【図３】
2008284333.tif 000005
【図４】
2008284333.tif 000006
【図５】
2008284333.tif 000007
【図６】
2008284333.tif 000008
【図７】
2008284333.tif 000009
【図８】
2008284333.tif 000010
【図９】
2008284333.tif 000011
【図１０】
2008284333.tif 000012
【図１１】
2008284333.tif 000013
【図１２】
2008284333.tif 000014
【図１３】
2008284333.tif 000015
【図１４】
2008284333.tif 000016
【図１５】
2008284333.tif 000017
【図１６】
2008284333.tif 000018
【図１７】
2008284333.tif 000019
【図１８】
2008284333.tif 000020
【図１９】
2008284333.tif 000021
【図２０】
2008284333.tif 000022